(57)【特許請求の範囲】
【請求項１】
血液由来の試料中に含まれる複数種類の細胞の中から、所望の細胞を分離するための細胞分離デバイスであって、
前記細胞分離デバイスが、複数の凹部を有するウェル状の本体部を備え、
前記ウェル状の本体部の複数の凹部を除く上面には、前記血液由来の試料中の血小板をトラップする血小板トラップ領域が設けられ、
前記血小板トラップ領域は、前記ウェル状の本体部の複数の凹部を除く上面に前記血小板と相互作用する物質が固定化されてなることを特徴とする細胞分離デバイス。
【請求項２】
前記凹部の直径が１〜５００μｍの範囲内であることを特徴とする請求項１に記載の細胞分離デバイス。
【請求項３】
前記複数の凹部が、
血液循環がん細胞（ＣＴＣ）およびその他の細胞をトラップするための血液循環がん細胞（ＣＴＣ）トラップ領域であることを特徴とする請求項１または２に記載の細胞分離デバイス。
【請求項４】
前記血液由来の試料が、予め赤血球の分離処理が行われた後の試料であることを特徴とする請求項１〜３のいずれかに記載の細胞分離デバイス。
【請求項５】
前記赤血球の分離処理が、密度勾配遠心分離法によってなされていることを特徴とする請求項４に記載の細胞分離デバイス。
【請求項６】
前記密度勾配遠心分離法の際に用いる分離媒体の比重が、
赤血球よりも小さくまた白血球よりも大きいことを特徴とする請求項５に記載の細胞分離デバイス。
【請求項７】
前記血小板と相互作用する物質が、前記血小板の細胞膜上に発現している膜糖タンパク質と相互作用する物質であることを特徴とする請求項１〜６のいずれかに記載の細胞分離デバイス。
【請求項８】
前記膜糖タンパク質と相互作用する物質が、前記膜糖タンパク質と相互作用する抗体であることを特徴とする請求項７に記載の細胞分離デバイス。
【請求項９】
前記膜糖タンパク質と相互作用する物質が、解離定数（ＫD）が１０-7〜１０-6Ｍの範囲内の物質であることを特徴とする請求項７または８に記載の細胞分離デバイス。
【請求項１０】
血液由来の試料中に含まれる複数種類の細胞の中から、所望の細胞を分離するための細胞分離方法であって、
前記細胞分離方法は、
複数の凹部を有するウェル状の本体部の前記複数の凹部を除く上面に、前記血液由来の試料中の血小板と相互作用する物質が固定化されてなる血小板トラップ領域が設けられた細胞分離デバイスを用意し、前記細胞分離デバイスの前記血小板トラップ領域上に前記血液由来の試料を供給し、前記血小板トラップ領域において前記血液由来の試料中の前記血小板をトラップする工程と、
を少なくとも有することを特徴とする細胞分離方法。
【請求項１１】
前記血小板をトラップする工程において、
前記細胞分離デバイスは、前記複数の凹部が、血液循環がん細胞（ＣＴＣ）およびその他の細胞をトラップするための血液循環がん細胞（ＣＴＣ）トラップ領域であり、
前記血液循環がん細胞（ＣＴＣ）トラップ領域で、前記血液循環がん細胞（ＣＴＣ）およびその他の細胞のトラップがなされることを特徴とする請求項１０に記載の細胞分離方法。
【請求項１２】
前記血液由来の試料が、予め赤血球の分離処理が行われた後の試料であることを特徴とする請求項１０または１１に記載の細胞分離方法。
【請求項１３】
前記赤血球の分離処理が、密度勾配遠心分離法によってなされていることを特徴とする請求項１２に記載の細胞分離方法。
【請求項１４】
前記密度勾配遠心分離法の際に用いる分離媒体の比重が、
赤血球よりも小さくまた白血球よりも大きいことを特徴とする請求項１３に記載の細胞分離方法。
【請求項１５】
前記血小板と相互作用する物質が、前記血小板の細胞膜上に発現している膜糖タンパク質と相互作用する物質であることを特徴とする請求項１０〜１４のいずれかに記載の細胞分離方法。
【請求項１６】
前記膜糖タンパク質と相互作用する物質が、前記膜糖タンパク質と相互作用する抗体であることを特徴とする請求項１５に記載の細胞分離方法。
【請求項１７】
前記膜糖タンパク質と相互作用する物質が、解離定数（ＫD）が１０-7〜１０-6Ｍの範囲内の物質であることを特徴とする請求項１５または１６に記載の細胞分離方法。
【発明の詳細な説明】
【技術分野】
【０００１】
本発明は、血液由来の試料中に含まれる複数種類の細胞の中から、所望の細胞を分離するための細胞分離デバイスおよびこれを用いた細胞分離方法に関する。
【背景技術】
【０００２】
従来より、血液由来の試料中から特定の細胞を取り出して観察することにより、病変の有無，病変部の病理学的診断，臨床学的診断などを行う細胞診断が行われている。
【０００３】
特に血液由来の試料中の血液循環がん細胞（以下、ＣＴＣともいう）の有無、またはＣＴＣの状態を観察する方法の一つとして、血液由来の試料中における複数種類の細胞を比重分離し、ＣＴＣが含まれ得る分離層を取り出して平面状に展開し、細胞を蛍光染色した後、これを光学的な検出手段で観察することが行われている。
【０００４】
血液由来の試料中の細胞、特にＣＴＣを比重分離する方法は、例えば特許文献１に開示されているように、まず試験管内に血小板および一部の白血球の比重よりも小さい分離媒体を入れ、ここに血液由来の試料を加え、これを遠心分離器にセットして遠心力を加えることで、血液由来の試料中に含まれる複数種類の細胞を比重の大小の違いで分離させている。
【０００５】
血液由来の試料中に含まれる主な成分の比重の大小関係は、血漿＜血小板＜白血球＜赤血球であり、赤血球がこの中で一番比重が大きいため、図７に示したように遠心分離後の試験管１００内では、最下層に赤血球２０８が位置することとなる。なお、血液循環がん細胞（ＣＴＣ）３００の比重は、血小板２０４や白血球２０６と同程度または血小板２０４や白血球２０６よりもさらに小さいため、血液由来の試料２００中にＣＴＣ３００が含まれている場合には、血小板２０４や白血球２０６と同じ層または血小板２０４や白血球２０６よりも上の血漿２０２の層に、ＣＴＣ３００が位置していると考えられる。
【０００６】
このため、遠心分離後に一部の赤血球２０８を含め、この層よりも上の全ての層をサンプリングして検出すれば、ＣＴＣ３００を洩らさず検出することができるはずである。
【先行技術文献】
【特許文献】
【０００７】
【特許文献１】特表２００２−５３６６３５号公報
【発明の概要】
【発明が解決しようとする課題】
【０００８】
ところで、サンプリングされた試料中には、ＣＴＣ３００とともに血小板２０４が含まれている。この血小板２０４はＣＴＣ３００と比べてはるかに数が多いため、サンプリングされた試料を平面状に展開した際に、ＣＴＣ３００が血小板２０４中に埋もれてしまう場合があり、ＣＴＣ３００の検出ロスが生ずるおそれがあった。このため、特許文献１では、複数回の遠心分離により、血小板を洗浄除去する方法が示されているが、遠心分離操作によりＣＴＣを含む細胞がロスすることが問題であった。
【０００９】
なお、ＣＴＣ３００が血小板２０４に埋もれることが無いよう、サンプリングされた試料の展開面積を広げることが考えられるが、このようにすると今度は検出対象となる範囲が広がるため、ＣＴＣ３００の検出に多くの時間を要し、また装置も大型化する必要があり現実的ではない。
【００１０】
さらに、ＣＴＣ３００は、血小板２０４とともに複合体を形成して存在するものもあるため、単純に血小板２０４の分離をしてしまうと、この複合体も一緒に分離されてしまい、複合体となったＣＴＣが検出されない場合があった。
【００１１】
本発明はこのような現状に鑑みなされたものであって、簡易な構成で血液由来の試料中に含まれる複数種類の細胞の中から血小板を精度良く分離することができるとともに、血液由来の試料中に血液循環がん細胞（ＣＴＣ）が含まれていた場合に、誤って血液循環がん細胞（ＣＴＣ）を除去してしまうことを抑えた細胞分離デバイスおよびこれを用いた細胞分離方法を提供することを目的とする。
【課題を解決するための手段】
【００１２】
本発明は、前述したような従来技術における問題点を解決するために発明されたものであって、
本発明の細胞分離デバイスは、
血液由来の試料中に含まれる複数種類の細胞の中から、所望の細胞を分離するための細胞分離デバイスであって、
前記細胞分離デバイスが、複数の凹部を有するウェル状の本体部を備え、
前記ウェル状の本体部の複数の凹部を除く上面には、前記血液由来の試料中の血小板をトラップする血小板トラップ領域が設けられ、
前記血小板トラップ領域は、前記ウェル状の本体部の複数の凹部を除く上面に前記血小板と相互作用する物質が固定化されてなることを特徴とする。
【００１３】
このように血小板と相互作用する物質が本体部に固定化されてなる血小板トラップ領域が設けられていれば、簡易な構成で血液由来の試料中から多くの血小板を取り除くことができる。
【００１４】
なお血小板と、血小板とＣＴＣの複合体と、では、アフィニティー（親和性）が異なるため、この血小板トラップ領域では血小板とＣＴＣの複合体がトラップされ難くなっている。
【００１５】
したがって、血小板の多くを分離した残りの血液由来の試料を平面状に展開すれば、従来生じていた血小板にＣＴＣが埋もれてしまうことが生じ難く、また血小板とＣＴＣの複合体も検出対象とすることができるため、精度良くＣＴＣを検出することができる。
【００３４】
また、本体部がウェル状であれば、血液由来の試料の入ったウェル状の本体部を揺動させて血液由来の試料を撹拌させるだけで、血小板トラップ領域に血液由来の試料中の血小板をトラップさせることができる。また同時に凹部内に血小板を除いた血液由来の試料を落として回収することができる。
【００３５】
したがって簡単な操作で効率良く血液由来の試料中の血小板を血小板トラップ領域でトラップさせることができ、しかも血小板を除いた血液由来の試料の回収も同時に行うことができる。
【００３６】
また、本発明の細胞分離デバイスは、
前記凹部の直径が１〜５００μｍの範囲内であることを特徴とする。
【００３７】
このような範囲内であれば、確実に凹部内に、血小板を除いた血液由来の試料を落として回収することができる。
また、本発明の細胞分離デバイスは、
前記複数の凹部が、
血液循環がん細胞（ＣＴＣ）およびその他の細胞をトラップするための血液循環がん細胞（ＣＴＣ）トラップ領域であることを特徴とする。
このようにすれば、凹部の底面に検出手段の焦点位置を合わせて細胞を検出することにより、血液循環がん細胞（ＣＴＣ）の有無や個数、あるいは細胞の状態などを精度良く検出することができる。さらに血小板を除いた血液由来の試料を別途平面状に展開する必要がないため、ＣＴＣの検出ロスを生ずることがなくＣＴＣの検出精度を高めることができる。
【００３８】
また、本発明の細胞分離デバイスは、
前記血液由来の試料が、予め赤血球の分離処理が行われた後の試料であることを特徴とする。
【００３９】
このように血液細胞中の大部分を占める赤血球が予め分離処理されていれば、さらに血液由来の試料中から血小板を分離し易くすることができる。
【００４０】
また、本発明の細胞分離デバイスは、
前記赤血球の分離処理が、密度勾配遠心分離法によってなされていることを特徴とする。
【００４１】
このように密度勾配遠心分離法を用いれば、血液由来の試料中に含まれる血液細胞を確実に比重の大小の順番で層状に並べることができる。したがって、赤血球の分離処理を精度良く行うことができる。
【００４２】
また、本発明の細胞分離デバイスは、
前記密度勾配遠心分離法の際に用いる分離媒体の比重が、
赤血球よりも小さくまた白血球よりも大きいことを特徴とする。
【００４３】
このように比重が調整された分離媒体であれば、密度勾配遠心分離法を行った際に、血液由来の試料を赤血球が多く含まれる層と赤血球以外の細胞が多く含まれる層との少なくとも二層に分離することができるため、赤血球以外の細胞が多く含まれる層のみを取り出せば、血液由来の試料中から赤血球の多くを取り除くことができる。
【００４４】
また、本発明の細胞分離デバイスは、
前記血小板と相互作用する物質が、前記血小板の細胞膜上に発現している膜糖タンパク質と相互作用する物質であることを特徴とする。
【００４５】
このような物質であれば、効果的に血小板を血小板トラップ領域でトラップすることができる。
【００４６】
また、本発明の細胞分離デバイスは、
前記膜糖タンパク質と相互作用する物質が、前記膜糖タンパク質と相互作用する抗体であることを特徴とする。
【００４７】
このような抗体であれば、効果的に血小板を血小板トラップ領域でトラップすることができる。
【００４８】
また、本発明の細胞分離デバイスは、
前記膜糖タンパク質と相互作用する物質が、解離定数（ＫD）が１０-7〜１０-6Ｍの範囲内の物質であることを特徴とする。
【００４９】
このようにアフィニティー（親和性）の弱い物質であれば、仮に血小板トラップ領域の血小板と相互作用する物質に、血小板とＣＴＣの複合体がトラップされてしまったとしても、その後、供給される血液由来の試料の流れの力だけでトラップを解除させることができる。
【００５０】
また、本発明の細胞分離方法は、
血液由来の試料中に含まれる複数種類の細胞の中から、所望の細胞を分離するための細胞分離方法であって、
前記細胞分離方法は、
複数の凹部を有するウェル状の本体部の前記複数の凹部を除く上面に、前記血液由来の試料中の血小板と相互作用する物質が固定化されてなる血小板トラップ領域が設けられた細胞分離デバイスを用意し、前記細胞分離デバイスの前記血小板トラップ領域上に前記血液由来の試料を供給し、前記血小板トラップ領域において前記血液由来の試料中の前記血小板をトラップする工程と、
を少なくとも有することを特徴とする。
【００５１】
このような方法であれば、血液由来の試料中の血小板の多くを確実に血小板トラップ領域でトラップすることができる。
また、本体部がウェル状であれば、血液由来の試料の入ったウェル状の本体部を揺動させて血液由来の試料を撹拌させるだけで、血小板トラップ領域に血液由来の試料中の血小板をトラップさせることができる。また同時に凹部内に血小板を除いた血液由来の試料を落として回収することができる。
したがって簡単な操作で効率良く血液由来の試料中の血小板を血小板トラップ領域でトラップさせることができ、しかも血小板を除いた血液由来の試料の回収も同時に行うことができる。
また、本発明の細胞分離方法は、
前記血小板をトラップする工程において、
前記細胞分離デバイスは、前記複数の凹部が、血液循環がん細胞（ＣＴＣ）およびその他の細胞をトラップするための血液循環がん細胞（ＣＴＣ）トラップ領域であり、
前記血液循環がん細胞（ＣＴＣ）トラップ領域で、前記血液循環がん細胞（ＣＴＣ）およびその他の細胞のトラップがなされることを特徴とする。
このようにすれば、凹部の底面に検出手段の焦点位置を合わせて細胞を検出することにより、血液循環がん細胞（ＣＴＣ）の有無や個数、あるいは細胞の状態などを精度良く検出することができる。さらに血小板を除いた血液由来の試料を別途平面状に展開する必要がないため、ＣＴＣの検出ロスを生ずることがなくＣＴＣの検出精度を高めることができる。
【００６０】
また、本発明の細胞分離方法は、
前記血液由来の試料が、予め赤血球の分離処理が行われた後の試料であることを特徴とする。
【００６１】
このように血液細胞の中で大部分を占める赤血球が予め分離処理されていれば、さらに確実に血液由来の試料中の血小板の多くを取り除くことができる。
【００６２】
また、本発明の細胞分離方法は、
前記赤血球の分離処理が、密度勾配遠心分離法によってなされていることを特徴とする。
【００６３】
このように密度勾配遠心分離法を用いれば、血液由来の試料中に含まれる血液細胞を確実に比重の大小の順番で層状に並べることができる。したがって、赤血球の分離処理を精度良く行うことができる。
【００６４】
また、本発明の細胞分離方法は、
前記密度勾配遠心分離法の際に用いる分離媒体の比重が、
赤血球よりも小さくまた白血球よりも大きいことを特徴とする。
【００６５】
このように比重が調整された分離媒体であれば、密度勾配遠心分離法を行った際に、血液由来の試料を赤血球が多く含まれる層と赤血球以外の細胞が多く含まれる層との少なくとも二層に分離することができるため、赤血球以外の細胞が多く含まれる層のみを取り出せば、血液由来の試料中から赤血球だけをほぼ確実に取り除くことができる。
【００６６】
また、本発明の細胞分離方法は、
前記血小板と相互作用する物質が、前記血小板の細胞膜上に発現している膜糖タンパク質と相互作用する物質であることを特徴とする。
【００６７】
このような物質であれば、確実に血小板の多くを血小板トラップ領域でトラップすることができる。
【００６８】
また、本発明の細胞分離方法は、
前記膜糖タンパク質と相互作用する物質が、前記膜糖タンパク質と相互作用する抗体であることを特徴とする。
【００６９】
このような抗体であれば、確実に血小板の多くを血小板トラップ領域でトラップすることができる。
【００７０】
また、本発明の細胞分離方法は、
前記膜糖タンパク質と相互作用する物質が、解離定数（ＫD）が１０-7〜１０-6Ｍの範囲内の物質であることを特徴とする。
【００７１】
このようにアフィニティー（親和性）の弱い物質であれば、仮に血小板トラップ領域の血小板と相互作用する物質に、血小板と血液循環がん細胞（ＣＴＣ）の複合体がトラップされてしまったとしても、その後、血液由来の試料の供給時の流れの強さでトラップを解除させることができる。
【発明の効果】
【００７２】
本発明によれば、本体部に血小板と相互作用する物質が固定化されてなる血小板トラップ領域が設けられた簡易な構成であり、血液由来の試料中に含まれる複数種類の細胞の中から血小板を精度良く分離することができるとともに、血液由来の試料中に血液循環がん細胞（ＣＴＣ）が含まれていた場合に、誤って血液循環がん細胞（ＣＴＣ）を除去してしまうことを抑えた細胞分離デバイスおよびこれを用いた細胞分離方法を提供することができる。
【図面の簡単な説明】
【００７３】
【図１】図１は、本発明の細胞分離デバイスの第１の実施形態を示した斜視図である。
【図２】図２は、図１に示した、本発明の細胞分離デバイスのＡ−Ａ線による断面図である。
【図３】図３は、本発明の細胞分離デバイスの溝の寸法について説明するための部分拡大図である。
【図４】図４は、本発明の細胞分離デバイスの溝の断面拡大図であって、図４（ａ）は溝の一方の側面のみが傾斜されたもの、図４（ｂ）は溝の端部に丸みを有するもの、図４（ｃ）は溝が断面Ｕ字状に形成されたものである。
【図５】図５は、本発明の細胞分離デバイスの第２の実施形態を示した概略図である。
【図６】図６は、本発明の細胞分離デバイスの第３の実施形態を示した概略図である。
【図７】図７は、血液を遠心分離した際における血液成分の分離状態を示した図である。
【発明を実施するための形態】
【００７４】
以下、本発明の実施形態について、図面に基づいてより詳細に説明する。
【００７５】
本発明の第１〜第３の実施形態に係る細胞分離デバイスは、血液由来の試料中に含まれる複数種類の細胞の中から血小板を分離するために用いられるものである。
【００７６】
また本発明の細胞分離方法は、血液由来の試料中に含まれる複数種類の細胞の中から血小板を分離するための方法である。
【００７７】
なお、本明細書中において「血液由来の試料」とは、生体から採取したそのままの血液以外に、例えば血液凝固防止剤などの採血管添加剤が混入された血液，希釈された血液，特定の成分を予め除去した血液，ＣＴＣが含まれた血液，さらにはＣＴＣが予め蛍光染色された血液なども含まれるものである。
【００７８】
ここで例えば、血液中の特定の成分として赤血球を除去した血液由来の試料を用意する場合には、既に公知の密度勾配遠心分離法を用いることができる。
【００７９】
密度勾配遠心分離法に用いられる分離媒体としては、比重，細胞を破壊することのない浸透圧およびｐＨに調節できるものであれば特に限定されないが、例えば、市販のフィコール（登録商標）やパーコール（登録商標）またはショ糖溶液などを用いることができる。
【００８０】
そして、分離媒体の比重を赤血球よりも小さくまた白血球よりも大きく設定することで、血液由来の試料を赤血球が多く含まれる層と赤血球以外の細胞が多く含まれる層との少なくとも二層に分離することができ、密度勾配遠心分離後、赤血球以外の細胞が多く含まれる層のみを取り出すことにより、血液由来の試料中から赤血球を取り除くことができる。
【００８１】
なお分離媒体として、比重の異なる二種以上（例えば、比重１．０７７と１．１１９）を併用しても良く、この場合には「赤血球以外の細胞をさらに分離することができ、目的細胞以外の細胞をさらに排除することができる。
【００８２】
また、本明細書中において「血小板がトラップされた残りの血液由来の試料」とは、上記した血液由来の試料から血小板を取り除いたものを意味するが、厳密に全ての血小板を除いたものでなくてもよく、一部の血小板が残ったものも含まれるものである。
＜第１の実施形態＞
本発明の第１の実施形態に係る細胞分離デバイス１０は、図１および図２に示したように、板状の本体部１２から構成されており、この本体部１２の上面には、一方側（図１では右側）４０に偏って血小板トラップ領域１４が設けられている。
【００８３】
この血小板トラップ領域１４は、本体部１２上に血小板と相互作用する物質が固定化されてなるものである。
【００８４】
血小板と相互作用する物質としては、血小板の細胞膜上に発現している膜糖タンパク質と相互作用する物質であることが好ましく、中でも膜糖タンパク質と相互作用する抗体であることがより好ましいものである。
【００８５】
このような膜糖タンパク質の例としては、下記の表１に記載のものが挙げられる。
【００８６】
また、例示した膜糖タンパク質と相互作用する物質および抗体については、表１に記載のとおりである。
【００８７】
【表１】
0005742728.tif 000002
ここで表１に例示した膜糖タンパク質と相互作用する物質および抗体について、血小板とＣＴＣの複合体が、この血小板トラップ領域１４でトラップされないようにするために、アフィニティー（親和性）の弱いものを選択することが好ましい。
【００８８】
アフィニティー（親和性）の指標としては解離定数（ＫD）を用いることができ、解離定数（ＫD）が１０-7〜１０-6Ｍの範囲内とすることが好ましい。また、膜糖タンパク質と相互作用する物質の中では、ＧＰ  Ｉ−Ｖ−ＩＸ複合体を対象とすることが好ましく、したがって膜糖タンパク質と相互作用する抗体の中では、抗ＣＤ４２ｂ抗体を選択することが好ましい。中でも解離定数（ＫD）が１０-7〜１０-6Ｍ程度の抗体クローンを選択することが好ましい。
【００８９】
なお、血小板トラップ領域１４の膜糖タンパク質と相互作用する物質は、一種類であることが好ましいが、場合によっては複数種類のものを用いても良いものである。
【００９０】
一方、本体部１２の上面の血小板トラップ領域１４以外の領域、すなわち血小板トラップ領域１４と隣接する他方側４２の領域には、血液循環がん細胞（ＣＴＣ）およびその他の細胞をトラップするための血液循環がん細胞（ＣＴＣ）トラップ領域１６が設けられている。
【００９１】
この本体部１２のＣＴＣトラップ領域１６には、一方側４０から他方側４２に向かって複数の溝１８が列状に並設されている。
【００９２】
ＣＴＣトラップ領域１６に設けられた複数の溝１８は、図３に示したように溝幅Ｔが１〜１００μｍの範囲内、溝深さＨが１〜１００μｍの範囲内に設定されることが好ましい。
【００９３】
溝１８の寸法がこのような範囲内であれば、血小板が分離された後の血液由来の試料３０中に残る細胞、すなわち白血球，ＣＴＣ，血小板とＣＴＣの複合体，血小板トラップ領域１４でトラップできなかった僅かな血小板などの細胞を、溝１８内に確実に展開することができる。
【００９４】
また上記寸法の溝１８は、溝幅Ｔと溝深さＨとを略同じ寸法とすることが好ましい。このように設定すれば、一度溝１８内に入った細胞が移動し難くなるとともに、溝１８内に入った細胞が、他の細胞を堰き止めてしまうようなことも防止することができる。
【００９５】
また溝１８の断面形状についても特に限定されるものではないが、図１〜図３に示したようなＶ字状であれば、細胞を密に並べることができ好ましい。
【００９６】
なお、Ｖ字状以外にも例えば図４（ａ）に示したように溝１８の一方の側面のみが斜めに傾斜してなるもの、図４（ｂ）に示したように頂部および底部に丸みを帯びているもの、図４（ｃ）に示したようにＵ字状の溝であっても良いものである。
【００９７】
さらに溝１８の底部にスリット（図示せず）を設け、血液由来の試料中の細胞以外の水分を排出できるようにしても良いものである。なおスリット（図示せず）を設ける場合には、細胞の流動性が損なわれない程度にスリットの大きさを設定し、水分の排出量を調整することが好ましい。
【００９８】
本体部１２のＣＴＣトラップ領域１６に設けられた溝１８は、公知の微細加工技術で加工可能であるが、例えば市販のプリズムシートを代用することもできる。通常、プリズムシートは、平板の上面に同じ大きさの溝が複数列状に並設されたものであり、溝の溝幅Ｔおよび溝深さＨも本発明の好ましい範囲に合ったものが市販されている。
【００９９】
また本体部１２は、血小板トラップ領域１４とＣＴＣトラップ領域１６とで別々に用意し、後で接着剤などを用いて接合したものであっても良いものである。
【０１００】
このような構造を有する細胞分離デバイス１０は、使用において図１に記載された矢印の方向のように、一方側４０から他方側４２に向かって本体部１２上の血小板トラップ領域１４に血液由来の試料３０を供給することで、血液由来の試料３０中の血小板が血小板トラップ領域１４でトラップされることとなる。
【０１０１】
なお、血小板トラップ領域１４でトラップされる血小板は、厳密に全てである必要はなく、この後に行われるＣＴＣの検出の際に、ＣＴＣが血小板に埋もれてしまわない程度の量がトラップされれば良いものである。
【０１０２】
血小板のトラップされる量については、供給される血液由来の試料３０の保存期間（採血からの経過時間）や量、また血小板トラップ領域１４に固定化された抗体密度に依存するため、適宜これらを調整することが好ましい。ただし、抗体に比べて血小板サイズが大きいため、抗体密度よりも血小板量への依存が大きい。
【０１０３】
なお、採血直後の血液由来の試料３０が、１ｍｌの血液の場合、密度勾配遠心後のサンプルには、平均して約４．０×１０6個の血小板が含まれる。血小板の大きさは約３μｍであり、例えば、通常のスライドガラス上に、４ｃｍ2の血小板トラップ領域１４を用いた場合には、その領域に少なくとも１×１０6個の血小板がトラップできる。従って、１ｍｌ血液から血小板を除去するには、このようなスライドガラスを４枚程度用いることが好ましい。ただし、これは、血小板トラップ領域１４に固定化された抗体が、反応性を維持したものが最密に存在する場合である。また、採血時から時間を経たものは、血小板が減少しているため、さらに小さい血小板トラップ領域１４で処理が可能である。
【０１０４】
次に上記した細胞分離デバイス１０を用いた細胞分離方法について説明する。
【０１０５】
まず、上記した構成を有する図１および図２に示したような本体部が板状の細胞分離デバイス１０を用意する。
【０１０６】
次いで、細胞分離デバイス１０の血小板トラップ領域１４が形成された一方側４０から他方側４２に向かって、この血小板トラップ領域１４上に血液由来の試料３０を供給し、血小板トラップ領域１４において、血小板と相互作用する物質に、血液由来の試料３０中の血小板をトラップさせる。
【０１０７】
ここで、血小板トラップ領域１４で血小板との相互作用が十分に働くよう、まずは血液由来の試料３０が、血小板トラップ領域１４に一定時間留まるよう、流量調整手段（図示せず）を用いて血液由来の試料３０の流速を制御することが好ましい。
【０１０８】
血液由来の試料３０を血小板トラップ領域１４に供給する方法は、特に限定されるものではないが、例えば細胞分離デバイス１０を平らな面に載置させた後、流量調整手段（図示せず）としてシリンジを用いて一方側４０から他方側４２に向かって血液由来の試料３０を供給することができる。
【０１０９】
また、細胞分離デバイス１０を僅かに傾斜させ、ここに本体部１２の一方側４０から血液由来の試料３０を流すことで血小板トラップ領域１４に血液由来の試料３０を展開させるようにしても良い。
【０１１０】
要は、血液由来の試料３０中の各細胞が緩やかな流れや自重を利用して移動されるような供給方法であれば、如何なる方法であっても構わないものである。
【０１１１】
次いで、血小板トラップ領域１４において、血小板との相互作用を十分に働かせた後、今度は流速１００〜１０００μｌ／ｓｅｃの早い流速で血液由来の試料３０を供給する。
【０１１２】
これにより、血小板トラップ領域１４の血小板と相互作用する物質に、仮に血小板とＣＴＣの複合体がトラップされてしまっていたとしても、上記したように血小板と相互作用する物質のアフィニティー（親和性）が弱いため、このような比較的早い流速でトラップを解除することができる。
【０１１３】
したがって、血小板トラップ領域１４において、血小板と相互作用する物質に、血液由来の試料３０中の血小板がトラップされ、これにより血液由来の試料３０中から血小板を分離することができる。
【０１１４】
なお、上記した第１の実施形態における細胞分離デバイス１０では、血小板トラップ領域１４に隣接して血液循環がん細胞（ＣＴＣ）トラップ領域１６が設けられているため、血小板が分離された残りの血液由来の試料３０が、続けて血小板トラップ領域１４の下流側（他方側４２）に位置するＣＴＣトラップ領域１６に流入されるようになっている。ここで、「血小板を分離した残りの血液由来の試料３０」とは、厳密に血小板の全てが取り除かれた残りの血液由来の試料３０で有る必要はなく、多くの血小板が取り除かれた状態であれば良いものである。
【０１１５】
したがって、ＣＴＣトラップ領域１６では、溝１８内に、血小板が分離された残りの血液由来の試料３０中のＣＴＣを含む細胞が、整列された状態で展開されることとなる。
【０１１６】
そして、ＣＴＣトラップ領域１６の溝１８内に整列された細胞を、その後、例えば光学的な検出手段（図示せず）を用いて検出すれば、ＣＴＣの有無や個数、あるいは細胞の状態などを精度良く検出することができる。
＜第２の実施形態＞
図５は本発明の細胞分離デバイス１０の第２の実施形態を示した図である。
【０１１７】
図５に示した細胞分離デバイス１０は、本体部１２が有底管状となっており、第１の実施形態のように板状のものとは形態が異なっている。
【０１１８】
このような細胞分離デバイス１０では、本体部１２の内周面の一部に、周状に血小板トラップ領域１４が設けられている。
【０１１９】
血小板トラップ領域１４の位置は、後述する血液由来の試料３０の量に合わせて設定されれば良く、血小板トラップ領域１４が血液由来の試料３０に浸かる程度の位置に設けられることが好ましい。
【０１２０】
そして、このような細胞分離デバイス１０を用いて細胞分離を行う場合には、まず有底管状の本体部１２内に、血小板トラップ領域１４が隠れるくらいまで血液由来の試料３０を入れ、この状態で有底管状の本体部１２を所定時間回して、内部の血液由来の試料３０を撹拌する。
【０１２１】
すると、周状に設けられた血小板トラップ領域１４において、血液由来の試料３０中の血小板がトラップされることとなる。
【０１２２】
有底管状の本体部１２内に残った血液由来の試料３０は、血小板が血小板トラップ領域１４でトラップされてほとんど入っていない状態であり、この残りの血液由来の試料３０を、別途平面状に展開することで、ＣＴＣを含めた残りの細胞が単層に広げられる。
【０１２３】
この状態で光学的な検出手段（図示せず）を用いて検出することにより、ＣＴＣの有無や個数、あるいは細胞の状態などを精度良く検出することができる。
＜第３の実施形態＞
図６は本発明の細胞分離デバイス１０の第３の実施形態を示した図である。
【０１２４】
図６に示した細胞分離デバイス１０は、本体部１２が複数の凹部２０を有するウェル状となっており、第１の実施形態のように板状のものと形態が異なっている。
【０１２５】
このような細胞分離デバイス１０では、本体部１２の凹部２０を除く上面に、血小板トラップ領域１４が設けられている。
【０１２６】
なお、凹部２０の直径は、１〜５００μｍの範囲内であることが好ましく、このような範囲に設定することにより、血小板を除いた血液由来の試料３０が確実に凹部２０内に落ちて回収されるようになっている。
【０１２７】
そして、このような細胞分離デバイス１０を用いて細胞分離を行う場合には、まず凹部２０を有するウェル状の本体部１２上に、血液由来の試料３０を注入し、この状態で本体部１２を所定時間揺動させ、内部の血液由来の試料３０を撹拌させる。
【０１２８】
これにより、本体部１２の凹部２０を除く上面に設けられた血小板トラップ領域１４で血液由来の試料３０中の血小板がトラップされることとなる。
【０１２９】
この時、同時に血小板を除いた血液由来の試料３０は、凹部２０内に落ちて回収されることとなる。
【０１３０】
この凹部２０内に落ちて回収された血小板を除いた血液由来の試料３０を、第２の実施形態の場合と同様、別途平面状に展開すると、ＣＴＣを含む残りの細胞が単層に広げられることとなる。
【０１３１】
この状態で光学的な検出手段（図示せず）を用いて検出することにより、血液循環がん細胞（ＣＴＣ）の有無や個数、あるいは細胞の状態などを精度良く検出することができる。
【０１３２】
なお、凹部２０内に落ちた血小板を除いた血液由来の試料３０が少量で、凹部２０の底面にＣＴＣを含めた細胞が単層に広がっている場合には、凹部２０の底面に検出手段（図示せず）の焦点位置を合わせて細胞を検出することにより、血液循環がん細胞（ＣＴＣ）の有無や個数、あるいは細胞の状態などを精度良く検出することができる。このような方法を用いた場合には、血小板を除いた血液由来の試料３０を別途平面状に展開する必要がないため、ＣＴＣの検出ロスを生ずることがなくＣＴＣの検出精度を高めることができる。
【０１３３】
以上、本発明の細胞分離デバイスおよびこれを用いた細胞分離方法について説明したが、本発明は上記の形態および方法に限定されるものではなく、例えば図１に示した実施形態における細胞分離デバイスでは、血小板トラップ領域が平らな平面状であるが、ここに微細な溝を形成しても良いなど、本発明の目的を逸脱しない範囲で種々の変更が可能なものである。
【実施例】
【０１３４】
［実施例１］
本発明の細胞分離デバイス１０およびこれを用いた細胞分離方法で、がん患者から採血された末梢血中の赤血球を除去後、血小板を分離し、さらに血小板を分離した末梢血中の種々の細胞の検出、特にはＣＴＣの検出を行った。
＜血液由来の試料３０＞
エチレンジアミン四酢酸（ＥＤＴＡ）あるいはヘパリン硫酸等を用いて血液凝固を阻止した血液を、ウシ血清アルブミン（ＢＳＡ）添加リン酸緩衝液食塩水（ＰＢＳ）で希釈した。これを予めフィコール密度勾配媒体を入れた試験管内に重層し、室温にて遠心分離機を用いて遠心分離を行った。
【０１３５】
遠心分離後、試験管内から単核球層を含む上層全てを採取し、採取管を回転させて良く混和し、これを血液由来の試料３０とした。
【０１３６】
この血液由来の試料３０中には、単核球（単球，リンパ球），血小板，その他レア細胞（ＣＴＣ，血管内皮細胞，血管内皮前駆細胞，幹細胞など）が含まれていると考えられる。
＜細胞分離デバイス１０＞
図１に示した板状の本体部１２から構成されてなる細胞分離デバイス１０を用意し、この細胞分離デバイス１０上の一方側４０に、血小板と相互作用する物質を固定化し、血小板トラップ領域１４を設けた。
【０１３７】
血小板と相互作用する物質を本体部１２上に固定化する方法としては、一般的な物理吸着法を用いた。
【０１３８】
また、血小板と相互作用する物質としては、血小板の膜糖タンパク質（ＣＤ４２ｂ）に対する抗体（タカラバイオ社製）を用いた。
【０１３９】
具体的には、重曹緩衝液（０．１Ｍ，ｐＨ９．６）で２〜５μｇ／ｍｌに希釈した抗ＣＤ４２ｂ抗体を、血小板トラップ領域１４に浸し、室温で３時間（あるいは４℃で一晩）反応させた。
【０１４０】
血小板トラップ領域１４に吸着しなかった抗ＣＤ４２ｂ抗体を回収し、０．０５％Ｔｗｅｅｎを含むリン酸緩衝液食塩水（以下、ＰＢＳともいう）で洗浄した後、さらにＰＢＳで洗浄を行った。
【０１４１】
洗浄の終わった細胞分離デバイス１０は、５％スキムミルクあるいは１％ＢＳＡで満たし、室温で２時間（あるいは４℃で一晩）反応させ、ブロッキングを行った。
【０１４２】
ブロッキング終了後、再度ＰＢＳで洗浄した。なお、血小板トラップ領域１４以外は、上記反応が起きないようにマスキングを行った。
【０１４３】
なお、膜糖タンパク質と相互作用する抗体の固定化方法は、本法によらずポリマーの様な固体支持体を用いた化学結合を利用したものでも良い。
＜細胞の展開および分離＞
細胞分離デバイス１０への血液由来の試料３０の展開については、一般的なマイクロ流体デバイスと層流チャンバーを用いる方法と同様、流体による展開方法を用いた。
【０１４４】
血液由来の試料３０などの流体の導入および排出は、層流チャンバーの有する開口部を用い、流量をセットできるポンプの制御下で行った。
【０１４５】
なお、ここでは血液由来の試料３０あるいはＰＢＳを往復送液しても良い。
【０１４６】
まず、血小板トラップ領域１４への血液由来の試料３０の導入は、血小板が膜糖タンパク質と相互作用する抗ＣＤ４２ｂ抗体と確実に結合できるように、緩やかな流速１０〜１００μｌ／ｓｅｃで行い、しばらく放置して反応を完結させた後、ＰＢＳを同程度の流速で充分流して洗浄した。
【０１４７】
次に、抗ＣＤ４２ｂ抗体との結合が弱い、ＣＴＣと血小板との複合体、およびその他非特異的な結合をした物質をかい離させるため、血小板トラップ領域１４に、早い流速５００〜１０００μｌ／ｓｅｃでＰＢＳを流した。
＜細胞検出＞
細胞分離デバイス１０上の細胞を光学検出にて同定するために、蛍光免疫染色を行った。
【０１４８】
まず、細胞内および細胞表面の抗原を保持するために、４％パラホルムアルデヒド（和光純薬社製）溶液で、１５分間室温にて反応させ、充分な量のＰＢＳで洗浄を行った後、細胞膜透過処理として０．１％Ｔｗｅｅｎを含むＰＢＳで３０分間反応させた。
【０１４９】
次に、ＣＴＣ染色用としてＡｌｅｘａ  Ｆｌｏｕｒ６４７（インビトロジェン社製）で標識した抗ＣＫ抗体（Ｍｉｃｒｏｍｅｔ社製）、白血球染色用にＡｌｅｘａ  Ｆｌｏｕｒ４８８で標識した抗ＣＤ４５抗体（Santa Cruz Biotechnology, Inc.）を含んだＰＢＳを４０分間反応させた。このうち最後の５分間は細胞核染色用にＤＡＰＩ（同仁化学社製）溶液を添加した。
【０１５０】
反応終了後は、充分な量のＰＢＳを用いて数回、細胞分離デバイス１０を洗浄し、余剰な抗体および蛍光色素を除去した。
【０１５１】
上記の蛍光検出には、蛍光顕微鏡やイメージスキャナーなど、通常用いる検出手段を用いた。
【０１５２】
細胞分離デバイス１０の血小板トラップ領域１４以外の領域（ＣＴＣトラップ領域１６）にＡｌｅｘａ  Ｆｌｏｕｒ６４７を励起するＨｅ−Ｎｅレーザ（励起波長６３３ｎｍ）を照射し、ＣＫを検出した。
【０１５３】
また同時に、あるいは次に、Ａｌｅｘａ  Ｆｌｏｕｒ４８８を励起するＡｒレーザ（励起波長４８８ｎｍ）を同様に照射してＣＤ４５を検出し、さらに水銀ランプを用いてＤＡＰＩをＵＶ励起させ、細胞核を検出した。
【０１５４】
これらの照射で得られたシグナルから、ＣＫ，ＤＡＰＩが検出され、かつＣＤ４５が検出されないシグナルをＣＴＣと同定した。
【０１５５】
また確認のため、血小板トラップ領域１４に上記のレーザを照射したところシグナルは認められなかった。
【０１５６】
これにより、本発明の実施形態１に係る細胞分離デバイス１０およびこれを用いた細胞分離方法を用いれば、血液由来の試料３０中に含まれる複数種類の細胞の中から血小板を精度良く分離することができることが確認された。
【０１５７】
したがって、血小板が分離された血液由来の試料３０中のＣＴＣを精度良く検出できることが確認された。
【０１５８】
なお、上記した実施例１においては、末梢血中のＣＴＣの検出を行ったが、本発明の細胞分離デバイス１０およびこれを用いた細胞分離方法を用いれば、血液由来の試料３０中の血小板を精度良く分離することができるため、他にも末梢血中の血管内皮細胞，血管内皮前駆細胞，各種幹細胞等のレア細胞検出にも利用され得ると考えられる。
【符号の説明】
【０１５９】
１０・・・細胞分離デバイス
１２・・・本体部
１４・・・血小板トラップ領域
１６・・・血液循環がん細胞（ＣＴＣ）トラップ領域
１８・・・溝
２０・・・凹部
３０・・・血液由来の試料
４０・・・一方側
４２・・・他方側
Ｔ・・・溝幅
Ｈ・・・溝深さ
Ｅ・・・直径
１００・・・試験管
２００・・・血液由来の試料
２０２・・・血漿
２０４・・・血小板
２０６・・・白血球
２０８・・・赤血球
３００・・・血液循環がん細胞（ＣＴＣ）
【図１】
0005742728.tif 000003
【図２】
0005742728.tif 000004
【図３】
0005742728.tif 000005
【図４】
0005742728.tif 000006
【図５】
0005742728.tif 000007
【図６】
0005742728.tif 000008
【図７】
0005742728.tif 000009